(57)【要約】【課題】少ない部品点数で、光軸方向の衝撃を低減できるレンズユニット保持構造を提案する。【解決手段】レンズ部とセンサ部が一体となったレンズユニット１０３を持つ撮像装置において、レンズユニット１０３を保持する構造であって、レンズユニット１０３は、三面一体形状の外装部において外観を構成しない複数のリブ部１１３ａ，１１３ｂに固定される。レンズユニット１０３と外装部との固定位置１１４ａ，１１４ｂ同士はレンズユニット１０３の立体中心Ｃに対して、相互に略対角位置である。【選択図】図５
2014126679.tif 000002
【特許請求の範囲】
【請求項１】
レンズ部とセンサ部が一体となったレンズユニットを持つ撮像装置において、前記レンズユニットを保持する構造であって、
前記レンズユニットは、三面一体形状の外装部において外観を構成しない複数のリブ部に固定され、
前記レンズユニットと前記外装部との固定位置同士は前記レンズユニットの立体中心に対して、相互に略対角位置であることを特徴とするレンズユニット保持構造。
【請求項２】
前記リブ部は、前記外装部における隣接する外装二面と接続することを特徴とする請求項１に記載のレンズユニット保持構造。
【請求項３】
前記リブ部と前記外装部の接続位置にフィレット形状を有することを特徴とする請求項１又は２に記載のレンズユニット保持構造。
【請求項４】
前記レンズユニットの光軸方向から見て、前記リブ部が接続する前記外装二面が交わる部位の略対角位置に前記レンズユニットが固定されることを特徴とする請求項２又は３に記載のレンズユニット保持構造。
【発明の詳細な説明】
【技術分野】
【０００１】
本発明は、静止画あるいは動画等を撮像するための、レンズ部やセンサ部を含むレンズユニットを備える撮像装置におけるレンズユニット保持構造に関するものである。
【背景技術】
【０００２】
この種のレンズユニットには光軸方向に移動する可動レンズがある。例えば特許文献１（特にその図２）のように、一般的にズーム機能を持つカメラのレンズユニットの内部には可動レンズを光軸方向に移動するためのステッピングモータ等の回転駆動部がある。この回転駆動部の出力軸には、スクリューが形成されている。この回転駆動部は支持部材を介して鏡筒外壁に固定される。そして、スクリューには可動レンズの固定枠に取り付けられたラックが噛みあっている。このため回転駆動部が回転すると、ラックを介して可動レンズが光軸方向に移動可能となる。
【０００３】
このようなレンズユニットには、光軸方向からレンズユニットに伝わる衝撃を低減するレンズユニット保持構造が求められている。レンズユニットに伝わる衝撃を低減する方法として、例えば特許文献２（特にその図３）では、緩衝部材の内面は鏡枠の外周面に当接し、緩衝部材の外面はケースの内周面に当接する。従って、ケースからの衝撃力が弱められて鏡枠に伝達され、その破損などを回避することができる。
【０００４】
また、特許文献３（特にその図１）では、撮像素子を包囲するように回路基板上に固定されたレンズを保持するレンズホルダの外周に設けた雄ねじを螺合させ、このレンズホルダを回転してピンとの初期調整を行う。レンズホルダは光軸方向に付勢される弾性部材を介して携帯機器のケースに当接される。従って、携帯機器に生じた過大な衝撃は、弾性部材によって緩和される。
【先行技術文献】
【特許文献】
【０００５】
【特許文献１】特開２０１１−１２８５９４号公報
【特許文献２】特開２００６−７８９４０号公報
【特許文献３】特開２００４−３０２５６５号公報
【発明の概要】
【発明が解決しようとする課題】
【０００６】
しかしながら、特許文献２では、鏡枠の周方向にしか緩衝部材がなく、光軸方向から受ける衝撃低減について、考慮されていないという課題がある。また、緩衝部材の分だけ、部品点数が増加してしまうという課題がある。
また、特許文献３では、レンズホルダの前玉側には弾性部材があるが、その反対側には弾性部材がない。従って、前玉と逆方向からレンズホルダに伝わる衝撃を考慮していないという課題がある。また、弾性部材の分だけ、部品点数が増加してしまうという課題がある。
【０００７】
本発明は、かかる実情に鑑みてなされたもので、その目的はレンズ部やセンサ部を含むレンズユニットを備える撮像装置において、少ない部品点数で、光軸方向の衝撃を低減できるレンズユニット保持構造を提案することとする。
【課題を解決するための手段】
【０００８】
本発明のレンズユニット保持構造は、レンズ部とセンサ部が一体となったレンズユニットを持つ撮像装置において、前記レンズユニットを保持する構造であって、前記レンズユニットは、三面一体形状の外装部において外観を構成しない複数のリブ部に固定され、前記レンズユニットと前記外装部との固定位置同士は前記レンズユニットの立体中心に対して、相互に略対角位置であることを特徴とする。
【０００９】
また、本発明のレンズユニット保持構造において、前記リブ部は、前記外装部における隣接する外装二面と接続することを特徴とする。
【００１０】
また、本発明のレンズユニット保持構造において、前記リブ部と前記外装部の接続位置にフィレット形状を有することを特徴とする。
【００１１】
また、本発明のレンズユニット保持構造において、前記レンズユニットの光軸方向から見て、前記リブ部が接続する前記外装二面が交わる部位の略対角位置に前記レンズユニットが固定されることを特徴とする。
【発明の効果】
【００１２】
本発明によれば、撮像装置の外部から受けた光軸方向の衝撃は、外装部に接続するリブ部が撓むことで、低減されてレンズユニットに伝わる。これにより少ない部品点数で、レンズユニットの光軸方向の衝撃を低減する保持が可能となる。
【図面の簡単な説明】
【００１３】
【図１】本発明に係る撮像装置の斜視図である。
【図２】本発明に係るレンズユニットの外観図である。
【図３】本発明に係る撮像装置の斜視図である。
【図４】本発明に係る撮像装置の構成を示すブロック図である。
【図５】本発明に係るレンズユニットの保持構造を示すそれぞれ斜視図である。
【図６】本発明に係るメインカバーの例を示すそれぞれ斜視図である。
【図７】本発明に係るレンズユニットの保持構造を示すそれぞれ斜視図である。
【図８】本発明に係るレンズユニットの保持構造を示すそれぞれ斜視図である。
【図９】本発明に係るレンズユニットの保持構造を示すそれぞれ斜視図である。
【発明を実施するための形態】
【００１４】
以下、図面に基づき本発明によるレンズユニット保持構造における好適な実施の形態を説明する。
（実施例１）
図１は本実施系に係る撮像装置１０１を模式的に示した外観斜視図である。図１において、１０２はレンズユニット１０３を取りつけるメインカバー、１０４はフロントカバーを表している。
図２はレンズユニット１０３の外観図である。図２において１０５はセンサ部であり、ＣＭＯＳ等のセンサが基板に実装されている。また、センサ部１０５はレンズユニットに固定される。１０６は不図示の可動レンズを可動するためのステッピングモータ、１０７は固定レンズ部１０７である。ここで、一点鎖線Ａは光軸を表している。
【００１５】
図３は、メインカバー１０２とフロントカバー１０４を取り外した撮像装置１０１の斜視図である。図３において、１０８はＬＣＤパネル、１０９はリアカバー、１１０はボトムカバー、１１１はメイン基板、１１２ａはステッピングモータ１０６とメイン基板１１１を繋ぐフレキシブル配線板（以下ＦＰＣ）（１）、１１２ｂはセンサ部１０５とメイン基板１１１を繋ぐＦＰＣ（２）である。ＬＣＤパネル１０８は不図示の可動ヒンジにより、撮像装置１０１に対して開閉可能な構造になっている。また、メイン基板１１１はボトムカバー１１０にビス１２８等で固定されている。
【００１６】
図４は、本実施形態による撮像装置１０１の構成例を示すブロック図である。レンズユニット１０３はレンズ部１０７可動レンズを動かす駆動部１０６、ＣＣＤやＣＭＯＳ素子等で構成されるセンサ部１０５から構成される。センサ部１０５はＦＰＣ（２）１１２ｂを介して、また駆動部１０６はＦＰＣ（１）１１２ａを介してメイン基板１１１に接続される。
【００１７】
メイン基板１１１における被写体画像をデジタル信号に変換するカメラ信号処理部２０１は、電気的に消去・記録可能なメモリであり、例えばＥＥＰＲＯＭ等が用いられる。ＲＯＭ２０２には、ＣＰＵ２０３の動作用の定数、プログラム等が記憶される。ＣＰＵ２０３は、撮像装置全体を制御する。ＲＡＭ２０４はシステムメモリ、ワークメモリ、画像メモリである。ＲＡＭ２０４には、ＣＰＵ２０３の動作用の定数、変数、ＲＯＭ２０２から読み出したプログラム等を展開する。表示部２０５は、ＣＰＵ２０３がＲＡＭ２０４に送信させる特定の処理を行った画像データにより、画像を表示する。表示部２０５には液晶パネル、有機ＥＬ等を用いる。記録部２０６はＣＰＵ２０３がＲＡＭ２０４に送信させる特定の処理を行った画像データを記録する。記録部２０６は画像データを記録するためのメモリカード等の記録媒体であり、半導体メモリや磁気ディスク、磁気テープ等から構成される。
【００１８】
操作部２０７は、撮像装置に設けられる不図示の電源釦、表示部２０５と重ねて設けられる不図示のタッチパネル等により構成される。電源釦は撮像装置の電源ＯＮ、ＯＦＦを行う。タッチパネルには、不図示のシャッタ釦が配置され、これら操作部を操作することにより、撮影画像に特定の処理が行われた画像データが記録部２０６に保存される。
【００１９】
タッチパネルは、重ねて設けられた表示部２０５に表示される種々のアイコンを選択操作することで、各種機能釦として作用する。これらの機能釦としては、例えば撮影モード切り替え釦、ズーム釦、メニュー釦等がある。例えばズーム釦が押されるとズーム機能が開始され、撮影シーンに適した画角にできる。利用者は、表示部２０５に表示された釦を重ねて配置されたタッチパネルにより操作することで、直感的に各種設定を行うことができる。その他、撮像装置に使われる構成として、撮像装置本体を駆動するための電源部、バッテリー部、音声入出力部、等あるが、撮像装置として周知の事実を用いるため、ここでは図示及び詳細な説明を省く。
【００２０】
図５（ａ）は、レンズユニット１０３をメインカバー１０２に取り付けた際の取付構造を、フロントカバー１０４側から見た図を表している。図５（ｂ）は、レンズユニット１０３をメインカバー１０２に取り付けた際の取付構造を、リアカバー１０９側から見た図を表している。レンズユニット１０３はメインカバー１０２のリブ部１１３ａ上にある固定位置を決めるための位置決め穴部１２９と、リブ部１１３ｂ上にある回転を防ぐための振れ止め穴部１３０に嵌め込まれる。その後、リブ部１１３ａ上の固定位置１１４ａとリブ部１１３ｂ上の固定位置１１４ｂにそれぞれ、ビス１１５ａ及びビス１１５ｂで固定される。リブ部１１３ａは隣接する外装二面である外観面１１６ａと外観面１１６ｂに接続している。リブ部１１３ｂは隣接する外装二面である外観面１１６ｂと外観面１１６ｃに接続している。また、複数、この例では少なくとも２つの固定位置１１４ａと固定位置１１４ｂはレンズユニット１０３の立体中心Ｃから見て、略対角位置にある。このようにレンズユニット１０３と外装部との固定位置同士はレンズユニット１０３の立体中心Ｃに対して、相互に略対角位置である。
【００２１】
ここで、レンズユニット１０３の立体中心とは、レンズユニット１０３と同一形状で、材質が均一とした物体もしくは部材の重心位置に相当する概念とする。
【００２２】
この撮像装置１０１に外部から光軸方向Ａからの衝撃が加わった場合、リブ部１１３ａとリブ部１１３ｂが撓む。この撓みによりレンズユニット１０３に伝わる衝撃を低減することができる。また、衝撃低減のためにメインカバー１０２とレンズユニット１０３の間に別部材を介在する必要がない。また、メインカバー１０２は門型の外装三面（外観面１１６ａ，１１６ｂ，１１６ｃ）が一体となった構造、即ち三面一体形状をしている。これにより外装三面を別部品とする構造に比べて、外装部品の部品点数を削減することができる。また、リブ部１１３ａとリブ部１１３ｂがそれぞれ、外装二面に亘って接続していることにより、リブ部１１３ａ，１１３ｂの付け根の応力集中による破壊を起こし難い構造となっている。また、リブ部１１３ａとリブ部１１３ｂは例え撓んだとしても、ユーザーが目にする外観に影響はない。
【００２３】
また、レンズユニット１０２とメイン基板１１１はＦＰＣ１１２ａ，１１２ｂで繋がっている。よって、メイン基板１１１経由でレンズユニット１０３に衝撃が伝わることがない。また、リブ部１１３ａ，１１３ｂの撓みにより、レンズユニット１０３が動くことにより、メイン基板１１１との相対位置が変化しても、レンズユニット１０３とメイン基板１１１の導通を確保することができる。
【００２４】
次に、図６（ａ）は、メインカバー１０２をフロントカバー１０４側から見た図である。また、図６（ｂ）は、メインカバー１０２をリアカバー１０９側から見た図である。メインカバー１０２はフィレット部１１７ａ、フィレット部１１７ｂ、フィレット部１１７ｃ、フィレット部１１７ｄ、フィレット部１１７ｅ及びフィレット部１１７ｆにフィレット構造もしくはフィレット形状を持つ。このようにメインカバー１０２とリブ部１１３ａ，１１３ｂとの接続位置に設けたフィレット構造により、リブ部１１３ａ，１１３ｂの付け根に集中応力が加わっても、リブ部１１３ａ，１１３ｂが破断し難くなる効果がある。また、実施例では、フィレット部１１７ａ〜フィレト部１１７ｆの全てにフィレット部を設けたが、フィレット部１１７ａ〜フィレト部１１７ｆの一部だけある構造でもよい。
【００２５】
図６（ｃ）は、メインカバー１０２をフロントカバー１０４側から見た図である。レンズユニットの固定位置１１４ａは光軸方向Ａから見て、リブ部１１３ａが接している外装二面（外観面１１６ａ，１１６ｂ）が交わる部位１１８ａに対して、略対角位置にある。また、固定位置１１４ｂは光軸方向Ａから見て、リブ部１１３ｂが接している外装二面（外観面１１６ｂ，１１６ｃ）が交わる部位１１８ｂに対して、略対角位置にある。これにより、撮像装置１０１が外部から衝撃を受けたときに、リブ部１１３ａ及びリブ部１１３ｂの撓み量を大きくすることが可能である。従って、緩衝部材を追加することなく、レンズユニット１０３に伝わる衝撃を低減することができる。
【００２６】
（実施例２）
実施例１と同様の効果を得る構造として、他に３つのパターンが考えられる。以下、実施例２〜４を用いて説明する。また、実施例２〜４では実施例１のレンズユニット１０３を簡略化して描く。
図７は、第２の形状パターンを示している。図７（ａ）は、フロントカバー１０４側から見たメインカバー１１９及びレンズユニット１０３を表している。図７（ｂ）は、リアカバー１０９側から見たメインカバー１１９及びレンズユニット１０３を表している。
【００２７】
図７（ａ）、図７（ｂ）のように、固定部位１２０ａ，１２０ｂがレンズユニット１０３の立体中心Ｃに対して、略対角位置である。また、リブ部１２１ａ，１２１ｂがメインカバー１１９の二面と接続している。また、その他の形状については、実施例１と同様の形状とする。
【００２８】
図８は、第３の形状パターンを示している。図８（ａ）は、フロントカバー１０４側から見たメインカバー１２２及びレンズユニット１０３を表している。図８（ｂ）は、リアカバー１０９側から見たメインカバー１２２及びレンズユニット１０３を表している。
【００２９】
図８（ａ）、図８（ｂ）のように、固定部位１２３ａ，１２３ｂがレンズユニット１０３の立体中心Ｃに対して、略対角位置である。また、リブ部１２４ａ，１２４ｂがメインカバー１２２の二面と接続している。また、その他の形状については、実施例１と同様の形状とする。
【００３０】
図９は、第４の形状パターンを示している。図９（ａ）は、フロントカバー１０４側から見たメインカバー１２５及びレンズユニット１０３を表している。図９（ｂ）は、リアカバー１０９側から見たメインカバー１２５及びレンズユニット１０３を表している。
【００３１】
図９（ａ）、図９（ｂ）のように、固定部位１２６ａ，１２６ｂがレンズユニット１２５の立体中心Ｃに対して、略対角位置である。また、リブ部１２６ａ，１２６ｂがメインカバー１２５の二面と接続している。また、その他の形状については、実施例１と同様の形状とする。
【００３２】
以上の実施例１〜４では、ボトムカバー１１０にメイン基板１１１が取り付けられ、その他の光軸Ａ回りの三面をメインカバー１０２，１１９，１２２，１２５とした。メイン基板１１１がボトムカバー１１０以外のカバーに取り付けられている場合、その他の光軸Ａ回りの三面をメインカバー１０２，１１９，１２２，１２５にしてもよい。
このように本発明によるレンズユニット保持構造では、撮像装置の外部から受けた光軸方向の衝撃は外装部に接続するリブ部が撓むことにより、低減されて、レンズユニットに伝わる。よって、少ない部品点数で、レンズユニットの光軸方向の衝撃を低減できる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
例えば２つのリブ部を持つ例を説明したが、３つ以上持つことも可能である。
【符号の説明】
【００３４】
１０１  撮像装置
１０２  メインカバー
１０３  レンズユニット
１０４  フロントカバー
１０５  センサ部
１０６  ステッピングモータ
１０７  レンズ部
１０８  ＬＣＤパネル
１０９  リアカバー
１１０  ボトムカバー
１１１  メイン基板
１１２ａ，１１２ｂ  ＦＰＣ
１１３ａ，１１３ｂ  リブ部
１１４ａ，１１４ｂ  固定位置
１１５ａ，１１５ｂ  ビス
１１６ａ〜１１６ｃ  外観面
１１７ａ〜１１７ｆ  フィレット部
１１８ａ，１１８ｂ  外装二面が交わる箇所
１１９  メインカバー
１２０ａ，１２０ｂ  固定箇所
１２１ａ，１２１ｂ  リブ部
１２２  メインカバー
１２３ａ，１２３ｂ  固定箇所
１２４ａ，１２４ｂ  リブ部
１２５  メインカバー
１２６ａ，１２６ｂ  固定箇所
１２７ａ，１２７ｂ  リブ部
１２８  ビス
１２９  位置決め穴部
１３０  振れ止め穴部
２０１  カメラ信号処理部
２０２  ＲＯＭ
２０３  ＣＰＵ
２０４  ＲＡＭ
２０５  表示部
２０６  操作部
Ａ  光軸
Ｃ  立体中心
【図１】
2014126679.tif 000003
【図２】
2014126679.tif 000004
【図３】
2014126679.tif 000005
【図４】
2014126679.tif 000006
【図５】
2014126679.tif 000007
【図６】
2014126679.tif 000008
【図７】
2014126679.tif 000009
【図８】
2014126679.tif 000010
【図９】
2014126679.tif 000011